(57)【要約】      （修正有）【課題】手術による感染症のリスクを低減させ、手術時間を短縮可能な潅流洗浄・ドレナージ機能を有するヘッドの提供。【解決手段】潅流洗浄・ドレナージ機能を有するヘッド１０は、連結端２０１を有する一端と、排液分岐管２１０及び注液分岐管２２０が延在するように構成される他端とを有し、排液分岐管の末端に排液開口が設けられ、注液分岐管の末端に注液開口が設けられる分岐管群２００と、連結端から延在して一体に形成され、且つ一方側に複数の注液口１０３が設けられるとともに他方側に複数の排液口１０４が設けられる周壁１１１を有する管体１００と、排液分岐管と注液分岐管の間から延在して形成される一端と、管体の末端から延在して形成される他端とを有する仕切り壁と、を含む。分岐管群及び管体の内部は、仕切り壁によって、互いに連通しない注液ルーメン及び排液ルーメンに仕切られる。【選択図】図１
2016202896.tif 000002
【特許請求の範囲】
【請求項１】
潅流洗浄・ドレナージ機能を有するヘッドであって、
連結端を有する一端と、排液分岐管及び注液分岐管が延在するように構成される他端とを有し、前記排液分岐管の末端に排液開口が設けられ、前記注液分岐管の末端に注液開口が設けられる分岐管群と、
前記連結端から延在して一体に形成され、一方側に複数の注液口が設けられるとともに他方側に複数の排液口が設けられる周壁を有する管体と、
前記排液分岐管と前記注液分岐管との間から延在して形成される一端と、前記管体の末端から延在して形成される他端とを有する仕切り壁と、を含み、
前記分岐管群及び前記管体の内部は、前記仕切り壁によって、互いに連通しない注液ルーメン及び排液ルーメンに仕切られ、
複数の前記注液口は、前記注液ルーメンによって前記注液分岐管に連通し、
複数の前記排液口は、前記排液ルーメンによって前記排液分岐管に連通することを特徴とする潅流洗浄・ドレナージ機能を有するヘッド。
【請求項２】
前記管体の末端は、閉塞端を有し、
前記仕切り壁は、前記閉塞端から延在して形成されることを特徴とする請求項１に記載の潅流洗浄・ドレナージ機能を有するヘッド。
【請求項３】
複数の前記注液口の各口径寸法は、前記管体の末端から前記分岐管群に向かって漸次小さくなることを特徴とする請求項１に記載の潅流洗浄・ドレナージ機能を有するヘッド。
【請求項４】
複数の前記排液口の各口径寸法は、前記管体の末端から前記分岐管群に向かって漸次小さくなることを特徴とする請求項１に記載の潅流洗浄・ドレナージ機能を有するヘッド。
【請求項５】
前記注液ルーメンは前記排液ルーメンよりも容積が小さいことを特徴とする請求項１に記載の潅流洗浄・ドレナージ機能を有するヘッド。
【請求項６】
各前記注液口は、前記周壁とのなす角が直角または鋭角の開設方向を有することを特徴とする請求項１に記載の潅流洗浄・ドレナージ機能を有するヘッド。
【請求項７】
中央に配置された複数の前記注液口の開設方向と前記周壁とのなす角は、直角であり、
両側に配置された複数の前記注液口の開設方向と前記周壁とのなす角は、鋭角であることを特徴とする請求項１に記載の潅流洗浄・ドレナージ機能を有するヘッド。
【請求項８】
各前記排液口は、前記周壁とのなす角が直角または鋭角の開設方向を有することを特徴とする請求項１に記載の潅流洗浄・ドレナージ機能を有するヘッド。
【請求項９】
中央に配置された複数の前記排液口の開設方向と前記周壁とのなす角は、直角であり、
両側に配置された複数の前記排液口の開設方向と前記周壁とのなす角は、鋭角であることを特徴とする請求項１に記載の潅流洗浄・ドレナージ機能を有するヘッド。
【請求項１０】
前記分岐管群は、管壁を有し、
前記連結端及び前記排液分岐管は、それぞれ前記管壁の両端に形成され、
前記注液分岐管は、前記管壁から延在して一体に形成されることを特徴とする請求項１に記載の潅流洗浄・ドレナージ機能を有するヘッド。
【請求項１１】
前記分岐管群は、Ｙ字状管またはＴ字状管であることを特徴とする請求項１に記載の潅流洗浄・ドレナージ機能を有するヘッド。
【請求項１２】
各前記注液口の口径寸法は、０．０５〜０．５ｃｍであり、
各前記排液口の口径寸法は、０．０５〜０．５ｃｍであることを特徴とする請求項１に記載の潅流洗浄・ドレナージ機能を有するヘッド。
【請求項１３】
潅流洗浄・ドレナージ機能を有するヘッドであって、
管体を含み、
前記管体の両端は、管先端部及び管後端部を有し、
前記管体内には、前記管体の縦方向に延びる仕切り壁が設けられ、
前記管体は、前記仕切り壁によって互いに隔離する注液ルーメン及び排液ルーメンに仕切られ、
前記管先端部の側面には、前記注液ルーメンに連通する注液口と、前記排液ルーメンに連通する排液口とが設けられ、
前記管先端部の側面には、環状リブが周設され、
前記注液ルーメンに連通する注液分岐管と、前記排液ルーメンに連通する排液分岐管とは、前記管後端部から分岐して延在するように設けられることを特徴とする潅流洗浄・ドレナージ機能を有するヘッド。
【請求項１４】
前記注液口は複数に設けられ、前記管体の縦方向に配列されることを特徴とする請求項１３に記載の潅流洗浄・ドレナージ機能を有するヘッド。
【請求項１５】
複数の前記注液口は、種類の異なる口径を有し、
隣り合う２つの注液口のうち、前記管先端部の末端に近接する一方は、大きい口径を有することを特徴とする請求項１４に記載の潅流洗浄・ドレナージ機能を有するヘッド。
【請求項１６】
複数の前記注液口は、種類の異なる開設方向を有し、開設方向が放射状になるように配列されることを特徴とする請求項１４に記載の潅流洗浄・ドレナージ機能を有するヘッド。
【請求項１７】
前記排液口は複数に設けられ、前記管体の縦方向に配列されることを特徴とする請求項１３に記載の潅流洗浄・ドレナージ機能を有するヘッド。
【請求項１８】
複数の前記排液口は、種類の異なる口径を有し、
隣り合う２つの排液口のうち、前記管先端部の末端に近接する一方は、大きい口径を有することを特徴とする請求項１７に記載の潅流洗浄・ドレナージ機能を有するヘッド。
【請求項１９】
複数の前記排液口は、種類の異なる開設方向を有し、開設方向が放射状になるように配列されることを特徴とする請求項１７に記載の潅流洗浄・ドレナージ機能を有するヘッド。
【請求項２０】
前記注液分岐管は、前記管体の縦方向に対して角度をなすように配置されることを特徴とする請求項１３に記載の潅流洗浄・ドレナージ機能を有するヘッド。
【請求項２１】
前記排液分岐管は、前記管体の縦方向に配置されることを特徴とする請求項１３に記載の潅流洗浄・ドレナージ機能を有するヘッド。
【請求項２２】
前記注液口及び前記排液口は、いずれも複数に設けられ、
複数の前記注液口及び複数の前記排液口は、それぞれ前記管先端部の対向する両側に位置をずらして配列されることを特徴とする請求項１３に記載の潅流洗浄・ドレナージ機能を有するヘッド。
【請求項２３】
前記注液口及び前記排液口は、前記環状リブよりも前記管先端部の末端に近接することを特徴とする請求項１３に記載の潅流洗浄・ドレナージ機能を有するヘッド。
【請求項２４】
前記注液ルーメンは、前記排液ルーメンよりも内径が小さいことを特徴とする請求項１３に記載の潅流洗浄・ドレナージ機能を有するヘッド。
【発明の詳細な説明】
【技術分野】
【０００１】
本発明は、潅流洗浄・ドレナージ機能を有するヘッドに関し、特に、ダブルルーメンによる潅流洗浄・ドレナージ機能を有するヘッドに関する。
【背景技術】
【０００２】
手術中、患者の損傷部位を洗浄する場合には、潅流洗浄・ドレナージ法が用いられる。潅流洗浄・ドレナージ法では、主に、複数の潅流チューブの一端を潅流洗浄装置に連結するとともに、その他端を患者の損傷部位の内部に挿入し、かつ、複数のドレーンチューブの一端を吸引装置に連結するとともに、その他端を患者の損傷部位の内部に挿入する。これにより、潅流洗浄装置は、複数の潅流チューブによって洗浄液を潅流させることで不要な体液や組織片を洗い出し、最後、複数のドレーンチューブによって不要な体液や組織片を損傷部位の外へ吸出する。
【発明の概要】
【発明が解決しようとする課題】
【０００３】
しかしながら、複数の潅流チューブ及び複数のドレーンチューブを収容するために、患者に対して複数の切開部または一定の面積以上の切開部を入れなければならないが、切開部の数が増えたり、切開部の面積が大きくなったりすると、損傷部位に潜在的な感染リスクが高くなり、手術が複雑になる。そのため、切開部の数を減らしたり、切開部の面積を小さくしたりして、手術による感染症のリスクを低減させるとともに手術時間を短縮することは、潅流洗浄・ドレナージ法の大きな課題となっている。
【０００４】
また、従来の潅流洗浄・ドレナージ機能を有するヘッドは、固定装置を有さないため、患部に挿入された場合に固定することができずに移動する可能性があり、洗浄液を洗浄に必要な患部に確実に到達させることができなくなる。さらに、ドレナージ及び潅流洗浄システムの機能を十分に発揮するために、密閉の体腔が必要になる。しかし、従来のドレーンチューブと組織切開の接合部から液体が滲出することが多いため、密閉の潅流洗浄及びドレナージ効果をよく発揮できず、患者へのケアが不便になる。
【０００５】
このような事情に鑑みて、本発明の発明者は、論理を用いつつ研究を行った結果、設計が合理的であり、有効的に上記欠点を改善、解決することができる本発明を得た。
【課題を解決するための手段】
【０００６】
本発明の一つの目的は、潅流洗浄機能及びドレナージ機能を兼有し、使用時に１つのヘッドのみを挿入することで、手術による感染症のリスクを低減させ、手術時間を短縮可能な潅流洗浄・ドレナージ機能を有するヘッドを提供することである。
【０００７】
従って、本発明の一実施形態に係る潅流洗浄・ドレナージ機能を有するヘッドは、連結端を有する一端と、排液分岐管及び注液分岐管が延在するように構成される他端とを有し、前記排液分岐管の末端に排液開口が設けられ、前記注液分岐管の末端に注液開口が設けられる分岐管群と、前記連結端から延在して一体に形成され、一方側に複数の注液口が設けられるとともに他方側に複数の排液口が設けられる周壁を有する管体と、前記排液分岐管と前記注液分岐管との間から延在して形成される一端と、前記管体の末端から延在して形成される他端とを有する仕切り壁と、を含む。前記分岐管群及び前記管体の内部は、前記仕切り壁によって、互いに連通しない注液ルーメン及び排液ルーメンに仕切られる。複数の前記注液口は、前記注液ルーメンによって前記注液分岐管に連通する。複数の前記排液口は、前記排液ルーメンによって前記排液分岐管に連通する。
【０００８】
本発明のもう一つの目的は、固定装置を有して液体の滲出を防止可能な潅流洗浄・ドレナージ機能を有するヘッドを提供することである。
【０００９】
上記目的を達成するために、本発明に係る潅流洗浄・ドレナージ機能を有するヘッドは、管体を含む。管体の両端は、管先端部及び管後端部を有する。管体内には、管体の縦方向に延びる仕切り壁が設けられる。管体は、仕切り壁によって互いに隔離する注液ルーメン及び排液ルーメンに仕切られる。管先端部の側面には、注液ルーメンに連通する注液口と、排液ルーメンに連通する排液口とが設けられる。管先端部の側面には、環状リブが周設される。管後端部から、注液ルーメンに連通する注液分岐管と、排液ルーメンに連通する排液分岐管とが分岐して延在するように設けられる。
【００１０】
好適には、注液口は複数に設けられ、管体の縦方向に配列される。注液口は、種類の異なる口径を有する。隣り合う２つの注液口のうち、管先端部の末端に近接する一方は、大きい口径を有する。注液口は、種類の異なる開設方向を有し、且つ開設方向が放射状になるように配列される。
【００１１】
好適には、排液口は複数に設けられ、管体の縦方向に配列される。排液口は、種類の異なる口径を有する。隣り合う２つの排液口のうち、管先端部の末端に近接する一方は、大きい口径を有する。排液口は、種類の異なる開設方向を有し、且つ開設方向が放射状になるように配列される。
【００１２】
好適には、注液分岐管は、管体の縦方向に対して角度をなすように配置される。排液分岐管は、管体の縦方向に配置される。複数の注液口及び複数の排液口は、それぞれ管先端部の対向する両側に位置をずらして配列される。注液口及び排液口は、環状リブよりも管先端部の末端に近接する。注液ルーメンは、排液ルーメンよりも内径が小さい。
本発明に係る潅流洗浄・ドレナージ機能を有するヘッドは、環状リブによって管先端部を固定させることで患部の洗浄に寄与できる。
【発明の効果】
【００１３】
本発明に係る潅流洗浄・ドレナージ機能を有するヘッドによれば、以下のような利点を有する。
１．潅流洗浄機能及びドレナージ機能を兼有し、使用時に１つの潅流洗浄・ドレナージ機能を有するヘッドのみを挿入することで、手術による感染症のリスクを低減させ、手術時間を短縮することができる。
２．固定手段を有して液体の滲出を防止することができる。
３．注液ルーメンは排液ルーメンよりも容積が小さいため、洗浄液が注液口から吐出されたときに大きい衝撃力が生じるとともに、不要な体液や組織片が排液ルーメンに還流したときに大きい収容スペースが用意され、これにより、潅流洗浄・ドレナージ機能を有するヘッドの使用の利便性を向上することができる。
４．複数の注液口の口径寸法は、管体の末端にある閉塞端から分岐管群に向かって漸次小さくなる。複数の排液口の口径寸法も、管体の末端にある閉塞端から分岐管群に向かって漸次小さくなる。これにより、使用上に管体１００の構造強度が優れ、潅流洗浄・ドレナージ機能を有するヘッド１０の耐用年数を延ばすことができる。
５．複数の注液口及び複数の排液口が周壁に放射状に配列されることで、注液口の潅流洗浄面積及び排液口の吸引面積を増やし、さらに潅流洗浄・ドレナージ機能を有するヘッドの使用の利便性を向上することができる。
【図面の簡単な説明】
【００１４】
【図１】本発明の第１実施形態に係る潅流洗浄・ドレナージ機能を有するヘッドの斜視概略図である。
【図２】本発明の第１実施形態に係る潅流洗浄・ドレナージ機能を有するヘッドの断面概略図である。
【図３】本発明の第１実施形態に係る潅流洗浄・ドレナージ機能を有するヘッドの使用状態を示す説明図である。
【図４】本発明の第２実施形態に係る潅流洗浄・ドレナージ機能を有するヘッドの使用状態を示す説明図である。
【図５】本発明の第３実施形態に係る潅流洗浄・ドレナージ機能を有するヘッドの使用状態を示す説明図である。
【図６】本発明の第４実施形態に係る潅流洗浄・ドレナージ機能を有するヘッドの斜視概略図である。
【図７】本発明の第４実施形態に係る潅流洗浄・ドレナージ機能を有するヘッドの縦方向における断面概略図である。
【図８】本発明の第４実施形態に係る潅流洗浄・ドレナージ機能を有するヘッドの管先端部の縦方向における断面概略図である。
【図９】本発明の第５実施形態に係る潅流洗浄・ドレナージ機能を有するヘッドを示す概略図である。
【発明を実施するための形態】
【００１５】
図１乃至図３は、本発明の第１実施形態に係る潅流洗浄・ドレナージ機能を有するヘッドを示す図である。潅流洗浄・ドレナージ機能を有するヘッドは、主に、管体１００、分岐管群２００及び仕切り壁１３０を含む。
【００１６】
分岐管群２００は、連結端２０１を有する一端と、排液分岐管２１０及び注液分岐管２２０が延在するように構成される他端とを有する。排液分岐管２１０の末端には、排液開口２１１が設けられる。注液分岐管２２０の末端には、注液開口２２１が設けられる。分岐管群２００は、管壁２３０を有する。連結端２０１及び排液分岐管２１０は、それぞれ管壁２３０の両端に形成される。注液分岐管２２０は、管壁２３０から延在して一体に形成される。分岐管群２００は、Ｙ字状管またはＴ字状管であるが、これに限定されない。
【００１７】
管体１００は、連結端２０１から延在して一体に形成され、周壁１１１及び末端にある閉塞端１１２を有する。周壁１１１の一方側には、複数の注液口１０３が設けられ、その他方側には、複数の排液口１０４が設けられる。
【００１８】
図２及び図３に示すように、複数の注液口１０３の各口径寸法は、管体１００の末端にある閉塞端１１２から分岐管群２００に向かって漸次小さくなる。複数の排液口１０４の各口径寸法も、管体１００の末端にある閉塞端１１２から分岐管群２００に向かって漸次小さくなる。
【００１９】
図３に示すように、各注液口１０３は、周壁１１１とのなす角が直角θ１の開設方向ｄ１を有し、各排液口１０４は、周壁１１１とのなす角が直角θ２の開設方向ｄ２を有する。各注液口１０３の口径寸法及び各排液口１０４の口径寸法は、それぞれ０．０５〜０．５ｃｍである。
【００２０】
仕切り壁１３０は、一端が排液分岐管２１０と注液分岐管２２０との間から延在して形成され、他端が管体１００の末端にある閉塞端１１２から延在して形成されるように構成される。分岐管群２００及び管体１００の内部は、仕切り壁１３０によって、互いに連通しない注液ルーメン１０１及び排液ルーメン１０２に仕切られる。各注液口１０３は、注液ルーメン１０１によって注液分岐管２２０に連通する。各排液口１０４は、排液ルーメン１０２によって排液分岐管２１０に連通する。注液ルーメン１０１は、排液ルーメン１０２よりも容積が小さい。
【００２１】
図１及び図２に示すように、本発明の潅流洗浄・ドレナージ機能を有するヘッド１０では、分岐管群２００は、連結端２０１を有する一端と、排液分岐管２１０及び注液分岐管２２０が延在するように構成される他端とを有する。排液分岐管２１０の末端には、排液開口２１１が設けられる。注液分岐管２２０の末端には、注液開口２２１が設けられる。管体１００は、連結端２０１から延在して一体に形成される。管体１００は、周壁１１１を有する。周壁１１１は、一方側に複数の注液口１０３が設けられ、他方側に複数の排液口１０４が設けられるように構成される。仕切り壁１３０は、一端が排液分岐管２１０と注液分岐管２２０との間から延在して形成され、他端が管体１００の先端から延在して形成されるように構成される。分岐管群２００及び管体１００の内部は、仕切り壁１３０によって、互いに連通しない注液ルーメン１０１及び排液ルーメン１０２に仕切られる。複数の注液口１０３は、注液ルーメン１０１によって注液分岐管２２０に連通する。複数の排液口１０４は、排液ルーメン１０２によって排液分岐管２１０に連通する。
【００２２】
図２及び図３を参照しながら、本発明に係る潅流洗浄・ドレナージ機能を有するヘッドの使用状態について説明する。まず、管体１００を患者の損傷部位の内部に挿入する。次に、排液分岐管２１０を吸引装置に連結し、注液分岐管２２０を潅流洗浄装置に連結する。それから、潅流洗浄装置により、注液分岐管２２０、注液ルーメン１０１及び複数の注液口１０３に洗浄液を順次に通過させて潅流させることで不要な体液や組織片を洗い出す。最後、吸引装置により、複数の排液口１０４、排液ルーメン１０２、排液分岐管２１０に不要な体液や組織片を順次に通過させて損傷部位の外へ吸出する。
【００２３】
管体１００の内部が仕切り壁１３０によって互いに連通しない注液ルーメン１０１及び排液ルーメン１０２に仕切られるため、潅流洗浄・ドレナージ機能を有するヘッド１０は潅流洗浄機能及ドレナージ機能を兼有する。このように、使用中に、潅流洗浄・ドレナージ機能を有するヘッド１０を１つの切開部に挿入するだけで、手術による感染症のリスクを低減させ、手術時間を短縮する効果を奏する。
【００２４】
また、注液ルーメン１０１は、排液ルーメン１０２よりも容積が小さいため、洗浄液が注液口１０３から吐出されたときに大きい衝撃力が生じ、不要な体液や組織片が排液ルーメン１０２に還流したときに大きい収容スペースが用意され、これにより、潅流洗浄・ドレナージ機能を有するヘッド１０の使用の利便性を向上することができる。
【００２５】
また、使用中に、潅流洗浄・ドレナージ機能を有するヘッド１０では、管体１００の分岐管群２００に近接する箇所が折れ曲がることが多いため、折れ曲がりそうな箇所における注液口１０３または排液口１０４の口径が大きすぎると、応力集中、変形及び損傷が発生しやすくなる。そのため、複数の注液口１０３の各口径寸法を、管体１００の末端にある閉塞端１１２から分岐管群２００に向かって漸次小さくするようになっている。同様に、複数の排液口１０４の各口径寸法を、管体１００の末端にある閉塞端１１２から分岐管群２００に向かって漸次小さくするようになっている。そうすることで、使用上に管体１００の構造強度が優れ、潅流洗浄・ドレナージ機能を有するヘッド１０の耐用年数を延ばすことができる。
【００２６】
図４は、本発明の第２実施形態に係る潅流洗浄・ドレナージ機能を有するヘッドの使用状態を示す説明図である。図４に示す第２実施形態は、図１乃至図３に示す第１実施形態とほぼ同じであるが、異なる部分について次に説明する。第２実施形態では、各注液口１０３の開設方向ｄ１と周壁１１１とのなす角は、直角θ１または鋭角θ３であり、各排液口１０４の開設方向ｄ２と周壁１１１とのなす角は、直角θ２または鋭角θ４である。
【００２７】
詳細には、注液口１０３のうち、中央に配列される複数の注液口１０３の開設方向ｄ１と周壁１１１とのなす角は直角θ１であり、両側に配列される複数の注液口１０３の開設方向ｄ１と周壁１１１とのなす角は鋭角θ３である。同様に、排液口１０４のうち、中央に配列される複数の排液口１０４の開設方向ｄ２と周壁１１１とのなす角は直角θ２であり、両側に配列される複数の排液口１０４の開設方向ｄ２と周壁１１１とのなす角は鋭角θ４である。このように、複数の注液口１０３及び複数の排液口１０４は周壁１１１に放射状に配列されることで、注液口１０３の潅流洗浄面積及び排液口１０４の吸引面積を増やし、さらに潅流洗浄・ドレナージ機能を有するヘッド１０の使用の便利性を高めることができる。
【００２８】
図５は、本発明の第３実施形態に係る潅流洗浄・ドレナージ機能を有するヘッド１０の使用状態を示す説明図である。図５に示す第３実施形態は、図１乃至図３に示す第１実施形態とほぼ同じであるが、異なる部分について次に説明する。第３実施形態では、各排液口１０４の開設方向ｄ２と周壁１１１とのなす角は、鋭角θ４である。
【００２９】
詳細には、各排液口１０４の開設方向ｄ２と周壁１１１とのなす角は鋭角θ４であるため、不要な体液や組織片が排液ルーメン１０２に還流する場合に大きい抵抗力を受けて、不要な体液や組織片が排液ルーメン１０２に還流する速度を落とす。これにより、注液口１０３から吐出された洗浄液が排液口１０４から損傷部位の外へ急速に吸出されることなく、洗浄液で潅流洗浄する時間が長くなる。
【００３０】
図６乃至図８は、本発明の第４実施形態に係る潅流洗浄・ドレナージ機能を有するヘッド１０を示す図である。潅流洗浄・ドレナージ機能を有するヘッド１０は、患者の体内に挿入されて体内の損傷部位を洗浄する。本実施形態において、本発明に係る潅流洗浄・ドレナージ機能を有するヘッド１０は、管体１００を含む。管体１００はシリコンから製造され且つ折れ曲げ可能であることが好ましいが、その材質に限定されない。管体１００の両端は、管先端部１１０及び管後端部１２０を有する。管体１００内には、管体１００の縦方向に延びる仕切り壁１３０が設けられる。管体１００は、仕切り壁１３０によって、互いに隔離する注液ルーメン１０１及び排液ルーメン１０２に仕切られる。注液ルーメン１０１及び排液ルーメン１０２は、いずれも棒状に形成され、且つ管体１００を貫通する。好ましくは、注液ルーメン１０１は排液ルーメン１０２よりも内径が小さい。
【００３１】
管体１００の管先端部１１０の側面には、複数の注液口１０３及び複数の排液口１０４が開設される。これらの注液口１０３及びこれらの排液口１０４は、それぞれ管先端部１１０の対向する両側に配列される。注液口１０３及び排液口１０４は、それぞれ管体１００の縦方向に配列され、且つ互いに位置をずらして配置される。
【００３２】
各注液口１０３は、注液ルーメン１０１に連通する。これらの注液口１０３は、種類の異なる口径を有する。隣り合う２つの注液口１０３のうち、管先端部１１０の管後端部１２０から離れる端部に近接する一方は、大きい口径を有する。各排液口１０４は、排液ルーメン１０２に連通する。これらの排液口１０４は、種類の異なる口径を有する。隣り合う２つの排液口１０４のうち、管先端部１１０の管後端部１２０から離れる端部に近接する一方は、大きい口径を有する。
【００３３】
管体１００の管先端部１１０の側面には、少なくとも１つの環状リブ１４０が周設される。本実施形態において、管先端部１１０の側面に複数の環状リブ１４０が設置されることが好ましいが、これに限定されない。好ましくは、注液口１０３及び排液口１０４は、環状リブ１４０よりも管先端部１１０の管後端部１２０から離れる端部に近接する。
【００３４】
注液分岐管２２０及び排液分岐管２１０は、管体１００の管後端部１２０から分岐して延在するように構成される。注液分岐管２２０は、注液ルーメン１０１に連通する。排液分岐管２１０は、排液ルーメン１０２に連通する。本実施形態において、好ましくは、排液分岐管２１０が管体１００の縦方向に配置される一方、注液分岐管２２０が管体１００の縦方向に対して角度をなすように配置される。
【００３５】
図７及び図８に示すように、本発明に係る潅流洗浄・ドレナージ機能を有するヘッド１０を使用する場合には、管体１００の管先端部１１０が患者の体内に挿入されて患部まで到達する。好ましくは、管先端部１１０は環状リブ１４０によって患者の体内に係止されて患部に固定される。管体１００の管後端部１２０は、患者の体外に位置して、医療スタッフによって患部を洗浄する。医療スタッフは洗浄液を注液分岐管２２０に注入する。そのため、洗浄液は注液分岐管２２０によって注液ルーメン１０１を通過して管先端部１１０に流入する。さらに、洗浄液は、各注液口１０３によって管先端部から患部へ流入し、これにより患部を洗浄する。使用済の洗浄液は、各排液口１０４から排液ルーメン１０２に流入することで患部から排出される。好ましくは、環状リブ１４０は、損傷部位から洗浄液の流出を阻止することができる。また、好ましくは、排液分岐管２１０は、洗浄液を流動させるための負圧源に連結されてもよいが、これに限定されない。
【００３６】
本発明に係る潅流洗浄・ドレナージ機能を有するヘッド１０では、環状リブ１４０によって管先端部１１０を固定させることで、患部を容易に洗浄することができる。また、管体１００が患者の体内に挿入されると、管先端部１１０が受ける力はその管後端部１２０から離れる端部から漸次大きくなる。注液口１０３及び排液口１０４は口径寸法が管先端部１１０の末端から漸次小さくなるように配置されることで、各注液口１０３（または排液口１０４）の受力の限度が管先端部１１０の管後端部１２０から離れる端部から漸次増えていく。そのため、管先端部１１０の折れ曲がりによる注液口１０３や排液口１０４の破損を避けることができる。また、注液ルーメン１０１は排液ルーメン１０２よりも内径が小さいことにより、注液ルーメン１０１内における洗浄液の流速が早くなるため、洗浄液が患部に流れると患部を効果的に洗い流すことができ、且つ排液ルーメン１０２からの洗浄液の排出に寄与することができる。さらに、排液分岐管２１０が管体１００の縦方向に配置され、且つ注液分岐管２２０が管体１００の縦方向に対して角度をなすように配置されるため、排液分岐管２１０は注液分岐管２２０よりも洗浄液に対する流れ抵抗が小さくて、排液ルーメン１０２からの洗浄液の排出に寄与することができる。
【００３７】
本発明の第５実施形態に係る潅流洗浄・ドレナージ機能を有するヘッド１０は、患者の体内に挿入されて体内の損傷部位を洗浄する。本実施形態に係る潅流洗浄・ドレナージ機能を有するヘッド１０の構成は上記の第４実施形態とほぼ同様である。したがって、ここでは第４実施形態との差異のみの説明に留め、第４実施形態と同様な構成についての説明は省略する。
【００３８】
図９に示すように、複数の注液口１０３は、種類の異なる開設方向を有し、且つ開設方向が放射状になるように配列される。複数の排液口１０４は、種類の異なる開設方向を有し、且つ開設方向が放射状になるように配列される。上記の構成によれば、洗浄液が患部を流れる場合に効果的に広がるように流れて、患部の周辺を確実に洗い流すことができる。
【００３９】
本発明の好適な実施形態を前述の通り開示したが、これらは決して本発明を限定するものではない。本発明の明細書及び図面による各種の変動及び修正は、本発明の保護を求める範囲内に属するものである。
【符号の説明】
【００４０】
１０ 潅流洗浄・ドレナージ機能を有するヘッド
１００ 管体
１０１ 注液ルーメン
１０２ 排液ルーメン
１０３ 注液口
１０４ 排液口
１１０ 管先端部
１１１ 周壁
１１２ 閉塞端
１２０ 管後端部
１３０ 仕切り壁
１４０ 環状リブ
２００ 分岐管群
２０１ 連結端
２１０ 排液分岐管
２１１ 排液開口
２２０ 注液分岐管
２２１ 注液開口
２３０ 管壁
ｄ１、ｄ２ 開設方向
θ１、θ２ 直角
θ３、θ４ 鋭角
【図１】
2016202896.tif 000003
【図２】
2016202896.tif 000004
【図３】
2016202896.tif 000005
【図４】
2016202896.tif 000006
【図５】
2016202896.tif 000007
【図６】
2016202896.tif 000008
【図７】
2016202896.tif 000009
【図８】
2016202896.tif 000010
【図９】
2016202896.tif 000011